(57)【要約】【課題】スピーカ内に電子回路部を収納することにより、スピーカシステムのコンパクト化を目的とする。【解決手段】磁気回路２４と、この磁気回路２４の磁気ギャップ２５にはまり込むように結合されたボイスコイル２８と、このボイスコイル２８に結合された振動板とからなり、この振動板によりスピーカ内部に凹部を形成し、この凹部にスピーカ本体の外周を形成するフレーム２６に支持された電子回路部７０を収納させたスピーカである。【選択図】　図１
2004128641.tif 000002
【特許請求の範囲】
【請求項１】
磁気回路と、この磁気回路の磁気ギャップにはまり込むように結合されたボイスコイルと、このボイスコイルに結合された振動板と、この振動板の外周部を固定したフレームとを備え、前記振動板により凹部を形成し、この凹部内に、前記ボイスコイルに電気接続された電子回路部を収納させたスピーカ。
【請求項２】
電子回路部はフレームに固定されながら凹部内に収納された請求項１記載のスピーカ。
【請求項３】
電子回路部は受信機能と復調機能と増幅機能と電源機能とを備えた請求項１記載のスピーカ。
【請求項４】
磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された発電機能を収納させたスピーカ。
【請求項５】
磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された発電機能と蓄電機能とを収納させたスピーカ。
【請求項６】
磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された電子回路部と発電機能とを収納させたスピーカ。
【請求項７】
磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された電子回路部と発電機能と蓄電機能とを収納させたスピーカ。
【請求項８】
蓄電機能には少なくとも蓄電池を備え、この蓄電池は着脱可能にした請求項５または７のいずれか一つに記載のスピーカ。
【請求項９】
スピーカ内の凹部に収納させた発電機能と、スピーカの外部に設けられた蓄電機能とを接続した請求項４〜８のいずれか一つに記載のスピーカ。
【請求項１０】
スピーカ内の凹部に収納させた蓄電機能と、スピーカの外部に設けられた発電機能とを接続した請求項４〜８のいずれか一つに記載のスピーカ。
【請求項１１】
スピーカの本体と外部に設けられた蓄電機能または発電機能との接続を断続可能にした請求項９または１０のいずれか一つに記載のスピーカ。
【発明の詳細な説明】
【０００１】
【発明の属する技術分野】
本発明は各種音響機器や情報通信機器および移動体通信機器に使用されるスピーカに関するものである。
【０００２】
【従来の技術】
以下に、従来のスピーカについて説明する。
【０００３】
図１１は従来のスピーカの断面図を示したものである。
【０００４】
図１１に示すように従来は、着磁されたマグネット１を上部プレート２および下部プレート３により挟み込んで磁気回路４を構成している。この磁気回路４の磁気ギャップ５にはまり込むようにボイスコイル８を結合し、このボイスコイル８に、振動板であるダイヤフラム７を結合し、このダイヤフラム７の周縁部にフレーム６を接着結合し、スピーカ５５を構成する。次に、ボイスコイル８のリード線１３をダイヤフラム７に沿わせてこのダイアフラム７に設けられた金糸線１２との中継点であるハトメ１４まで引き回して、半田付けにより結線しその後、ダイアフラム７にダストキャップ９を接着している。
【０００５】
さらに、金糸線１２をフォーミングしながらターミナル１１まで引き回して、ターミナル１１に半田付けにより結線して構成している。
【０００６】
図１２は、従来のスピーカを駆動させるまでのブロックダイヤグラム図を示したものであり、発信源より変調されて送信された電波を、電子回路部５０を駆動するための電源機能５１にて電源を供給し、受信機能５２で受信して、この信号を復調機能５３で復調して、音声信号を得ている。次に、この音声信号をスピーカ５５を駆動できるレベルにまで増幅機能５４で増幅してスピーカ５５に供給している。
【０００７】
このとき、スピーカ５５に供給される音声信号は、増幅機能５４を通過した後、スピーカコード５６をスピーカ５５のターミナル１１まで引き回して、ターミナル１１に結線して構成している。
【０００８】
なお、この出願の発明に関連する先行技術文献情報としては、例えば特許文献１が知られている。
【０００９】
【特許文献１】
特開平９−７００９３号公報
【００１０】
【発明が解決しようとする課題】
図１１のスピーカは、電子回路部５０がスピーカ５５本体の外部に設置されるため、電子回路部５０を設置する場所をスピーカ５５とは別に確保する必要があり、スピーカシステムのコンパクト化に課題を有していた。また、セット側からの電気信号を入力するためのスピーカコード５６とこれを接続するためのターミナル１１とボイスコイル８に音声信号を供給するための金糸線１２とがあるが、これらのスピーカコード５６やターミナル１１や金糸線１２は電気信号を入力するために存在するだけで、スピーカ５５の音響特性向上に寄与することはない。一方、これらの部品コストとこれらを結合するために必要となるコスト、およびこれらの生産設備コストは、スピーカ５５を含むシステム全体のコストに占める割合が高いものとなり、システム全体の生産性やコスト低減化に対して課題を有するものであった。特に、セット側とスピーカ５５の距離が非常に長い場合には、長く引き回されたスピーカコード５６のコストがスピーカ５５のコストを上回ることもあった。
【００１１】
そこで本発明は、電子回路部をスピーカ内に収納することにより、スピーカと電子回路部の一体化を図り、スピーカシステムのコンパクト化を実現するものである。また、スピーカコードやターミナルや金糸線をなくし、スピーカの部品点数削減によるコスト低減化を実現できる優れたスピーカを提供するものである。
【００１２】
【課題を解決するための手段】
そして、この問題を解決するために、本発明の請求項１に記載の発明は、特に、磁気回路と、この磁気回路の磁気ギャップにはまり込むように結合されたボイスコイルと、このボイスコイルに結合された振動板と、この振動板の外周部を固定したフレームとを備え、前記振動板により凹部を形成し、この凹部内に、前記ボイスコイルに電気接続された電子回路部を収納させたスピーカであり、この構成により、スピーカと電子回路部を一体化することができ、スピーカシステムのコンパクト化を実現することが可能となる。
【００１３】
本発明の請求項２に記載の発明は、特に、電子回路部はフレームに固定されながら凹部内に収納された請求項１記載のスピーカであり、この構成により、振動板に接触することなくスピーカを駆動させることが可能となる。
【００１４】
本発明の請求項３に記載の発明は、特に、電子回路部は受信機能と復調機能と増幅機能と電源機能とを備えた請求項１記載のスピーカであり、この構成により、スピーカを駆動するための信号を電波により受信し、スピーカを駆動できる信号に変換して再生することが可能となる。
【００１５】
本発明の請求項４に記載の発明は、特に、磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された発電機能を収納させたスピーカであり、この構成により、スピーカを駆動しているとき、または振動等により振動系部品が振幅しているときに、スピーカを発電機として使用することができ、エネルギー効率を向上させることが可能となる。
【００１６】
本発明の請求項５に記載の発明は、特に、磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された発電機能と蓄電機能とを収納させたスピーカであり、この構成により、スピーカを発電機として使用しているときに、蓄電することが可能となり、この蓄電により余分なエネルギーを保存させることができる。
【００１７】
本発明の請求項６に記載の発明は、特に、磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された電子回路部と発電機能とを収納させたスピーカであり、この構成により、スピーカを駆動するための信号を電波により受信し、スピーカを駆動できる信号に変換して再生することが可能になる。
【００１８】
本発明の請求項７に記載の発明は、特に、磁気回路と、この磁気回路の磁気ギャップにはまり込むように結合されたボイスコイルと、このボイスコイルに結合された振動板とからなり、この振動板によりスピーカ内部に凹部を形成し、この凹部に、スピーカ本体の外周を形成するフレームに支持された電子回路部と発電機能と蓄電機能とを収納させたスピーカであり、この構成により、スピーカを駆動するための信号を電波により受信し、スピーカを駆動できる信号に変換して再生するという一連の再生機能が外部電源の供給を受けることなく、スピーカ単体で自己完結して実現することが可能になる。
【００１９】
本発明の請求項８に記載の発明は、特に、蓄電機能には少なくとも蓄電池を備え、この蓄電池は着脱可能にした請求項５または７のいずれか一つに記載のスピーカであり、この構成により、スピーカを駆動するための電源を蓄電池以外の電池により実現することができる。これにより、別の充電器にて蓄電池を充電したり、使い捨て電池の使用が可能になるなど、電源の供給用途を拡大することができる。
【００２０】
本発明の請求項９に記載の発明は、特に、スピーカ内の凹部に収納させた発電機能と、スピーカの外部に設けられた蓄電機能とを接続した請求項４〜８のいずれか一つに記載のスピーカであり、この構成により、スピーカと外部に設けられた蓄電機能との電力の受け渡しが可能となる。
【００２１】
本発明の請求項１０に記載の発明は、特に、スピーカ内の凹部に収納させた蓄電機能と、スピーカの外部に設けられた発電機能とを接続した請求項４〜８のいずれか一つに記載のスピーカであり、この構成により、スピーカと外部に設けられた発電機能との電力の受け渡しが可能となる。
【００２２】
本発明の請求項１１に記載の発明は、特に、スピーカの本体と外部に設けられた蓄電機能または発電機能との接続を断続可能にした請求項９または１０のいずれか一つに記載のスピーカであり、この構成により、スピーカと外部に設けられた蓄電機能または発電機能との電力の受け渡しによる接続を任意に断続することができ、所望の状態を実現することが可能となる。
【００２３】
【発明の実施の形態】
（実施の形態１）
以下本発明の実施の形態について、本発明の特に請求項１〜３の発明について、図面を参照しながら説明する。
【００２４】
図１は、本発明の実施の形態１におけるスピーカの断面図を示したものである。
【００２５】
図１において、着磁されたマグネット２１を上部プレート２２および下部プレート２３により挟み込んで磁気回路２４を構成している。この磁気回路２４の磁気ギャップ２５にはまり込むようにボイスコイル２８を結合し、このボイスコイル２８に、振動板であるダイヤフラム２７を結合し、このダイヤフラム２７の周縁部にフレーム２６を接着結合し、スピーカ７５を構成する。
【００２６】
ここで本発明では、このスピーカ７５の振動系部品であるダイアフラム２７により凹部を形成し、この凹部にスピーカ７５本体の外周を形成するフレーム２６に支持された電源機能７１と受信機能７２と復調機能７３と増幅機能７４とを備えた電子回路部７０を収納している。
【００２７】
この構成により、電子回路部７０はスピーカ７５内に収納されているので、スピーカ７５と電子回路部７０との一体化を図り、スピーカシステムのコンパクト化を実現することができる。また、スピーカ７５を駆動するための信号を電波により発信し、スピーカ７５の振動系に設けた電子回路部７０にて直接受信させることで、スピーカコードやターミナルや金糸線をなくし、スピーカ７５およびシステムの部品点数削減と生産工数削減によるコスト低減化を実現することができ、特に、高い天井部や車室内へのスピーカの取り付けなどスピーカコードを長く引き回したり、引き回しに要する作業が困難である場合には大きなコスト低減効果を発揮する。
【００２８】
さらに、金糸線を使用しないことで振動系を重量負荷の不均一と金糸線による振動への抵抗をなくして振幅させることができ、ローリングやギャップ不良を低減させ安定した振幅を実現することができる。さらに、従来問題となっていた金糸線の振幅疲労による断線や、金糸線のフォーミング不良によるフレーム２６、ダイアフラム２７、ダンパー３１等への当たり不良や接触不良についても防止することができる。
【００２９】
図２は本発明のスピーカを駆動させるまでのブロックダイヤグラム図を示したものであり、発信源より変調されて送信された電波を、スピーカ７５の振動系に結合された電子回路部７０にて信号処理してスピーカ７５を駆動している。すなわち、電源機能７１にて電源を供給し、受信機能７２で電波を受信して、この信号を復調機能７３で復調して、音声信号を得ている。次に、この音声信号をスピーカ７５を駆動できるレベルにまで増幅機能７４で増幅してスピーカ７５のボイスコイル２８に供給している。
【００３０】
以上の構成により、電子回路部をスピーカ内に収納することで、スピーカと電子回路部との一体化を図り、スピーカシステムのコンパクト化を実現することができる。また、スピーカコード、ターミナル、金糸線の部品を削減することができ、ボイスコイルのリード線のダイアフラムへの引き回し、金糸線との中継点の作成、半田付け作業等の工程も削減することができる。
【００３１】
よって、部品コストと、これらの部品を結合するための生産コストも削減することができるので、これらの生産設備も不要となり、部品、生産、設備等においてコスト低減化を実現することができる。
【００３２】
（実施の形態２）
以下、本発明の実施の形態２を用いて、本発明の特に請求項４に記載の発明について図面を参照しながら説明する。
【００３３】
図３は、本発明の実施の形態２におけるスピーカの断面図を示したものである。本実施の形態の特徴は、スピーカ７５の振動系部品に発電機能７６を備えて構成したことである。発電用のコイル２８Ａを設けたボイスコイル２８を使用して構成している。この構成により、スピーカ７５を駆動している時、または、スピーカ７５が駆動していない時でも外部振動等により振動系が振幅している時には、スピーカ７５を発電機として使用することができ、エネルギー効率を向上させることができる。
【００３４】
（実施の形態３）
以下、本発明の実施の形態３を用いて、本発明の特に請求項５に記載の発明について図面を参照しながら説明する。
【００３５】
図４は、本発明の実施の形態３におけるスピーカの断面図を示したものである。本実施の形態の特徴は、スピーカ７５の振動系部品に発電機能７６と蓄電機能７７とを備えて構成したことである。この構成により、スピーカ７５を発電機として使用している時に、蓄電することが可能となり、余分なエネルギーを保存させることができる。
【００３６】
（実施の形態４）
以下、本発明の実施の形態４を用いて、本発明の特に請求項６に記載の発明について図面を参照しながら説明する。
【００３７】
図５は、本発明の実施の形態４におけるスピーカ７５の断面図を示したものである。本実施の形態の特徴は、スピーカ７５の振動系部品に電源機能７１と受信機能７２と復調機能７３と増幅機能７４とを有する電子回路部７０と、発電機能７６とを備えて構成したことである。この構成により、スピーカ７５を駆動するための信号を電波により受信し、スピーカ７５を駆動できる信号に変換して再生することが可能になる。
【００３８】
（実施の形態５）
以下、本発明の実施の形態５を用いて、本発明の特に請求項７に記載の発明について図面を参照しながら説明する。
【００３９】
図６は、本発明の実施の形態５におけるスピーカの断面図を示したものである。本実施の形態の特徴は、スピーカ７５の振動系部品に電源機能７１と受信機能７２と復調機能７３と増幅機能７４とを備えた電子回路部７０と、発電機能７６と蓄電機能７７とを備えて構成したことである。この構成により、スピーカ７５を駆動するための信号を電波により受信し、スピーカ７５を駆動できる信号に変換して再生するという一連の再生機能が外部電源の供給を受けることなしに、スピーカ単体で自己完結して実現することができる。
【００４０】
（実施の形態６）
以下、本発明の実施の形態６を用いて、本発明の特に請求項８に記載の発明について図面を参照しながら説明する。
【００４１】
図７は、本発明の実施の形態６におけるスピーカの断面図を示したものである。本実施の形態の特徴は、蓄電機能７７には少なくとも蓄電池７８を有し、この蓄電池７８は着脱可能にして構成したことである。この構成により、スピーカ７５を駆動するための電源を蓄電池７８以外に乾電池等の電池により実現することができる。これにより、別の充電器にて蓄電池７８を充電したり、使い捨て電池の使用を可能とするなど、電源の供給用途を拡大することができる。
【００４２】
（実施の形態７）
以下、本発明の実施の形態７を用いて、本発明の特に請求項９に記載の発明について図面を参照しながら説明する。
【００４３】
図８は、本発明の実施の形態７におけるスピーカの断面図を示したものである。本実施の形態の特徴は、スピーカ７５の振動系に設けられた発電機能７６とスピーカ７５の外部に設けられた蓄電機能７９とを接続して構成したことである。この構成により、スピーカ７５と外部に設けられた蓄電機能７９との電力の受け渡しが可能となる。
【００４４】
（実施の形態８）
以下、本発明の実施の形態８を用いて、本発明の特に請求項１０に記載の発明について図面を参照しながら説明する。
【００４５】
図９は、本発明の実施の形態８におけるスピーカの断面図を示したものである。本実施の形態の特徴は、スピーカ７５の振動系に設けられた蓄電機能７７とスピーカ７５の外部に設けられた発電機能８０とを接続して構成したことである。この構成により、スピーカ７５への外部に設けられた発電機能８０からの電力の受け渡しが可能となる。
【００４６】
（実施の形態９）
以下、本発明の実施の形態９を用いて、本発明の特に請求項１１に記載の発明について図面を参照しながら説明する。
【００４７】
図１０は、本発明の実施の形態９におけるスピーカの断面図を示したものである。本実施の形態の特徴は、請求項８または９に記載のスピーカ７５と外部に設けられた蓄電機能７９または発電機能８０との接続を断続可能にして構成したことである。この構成により、スピーカ７５と外部に設けられた蓄電機能７９または発電機能８０との電力の受け渡しによる接続を任意に断続することができる。よって、スピーカ７５から外部に設けられた蓄電機能７９に蓄電することができ、逆に外部に設けられた蓄電機能７９または発電機能８０からスピーカ７５に蓄電することができるので、その電力の受け渡しを自由に実現することが可能となる。
【００４８】
【発明の効果】
以上のように、本発明のスピーカは、スピーカの振動系部品により凹部を形成し、この凹部にスピーカ本体の外周を形成するフレームに支持された電源機能と受信機能と復調機能と増幅機能とを備えた電子回路部を収納して構成したものである。
【００４９】
この発明によれば、電子回路部はスピーカ内に収納されているので、スピーカと電子回路部との一体化を図り、スピーカシステムのコンパクト化を図ることができる。また、スピーカを駆動するための信号を電波により発信し、スピーカの振動系部品に直接受信させることで、スピーカコード、ターミナル、金糸線の部品を削減することができ、スピーカをスピーカコードの接続、ターミナルのフレームへの結合、ボイスコイルのリード線のダイアフラムへの引き回し、金糸線との中継点の作成、金糸線半田付け作業等の工程を削減することができる。
【００５０】
さらに、部品コストと、これらの部品を結合するための生産コストも削減することができるので、これらの生産設備も不要となり、部品、生産、設備等においてコスト低減化を実現することができる。
【図面の簡単な説明】
【図１】本発明の一実施の形態におけるスピーカの断面図
【図２】同実施の形態におけるブロックダイアグラム図
【図３】本発明の別の実施の形態におけるスピーカの断面図
【図４】本発明の別の実施の形態におけるスピーカの断面図
【図５】本発明の別の実施の形態におけるスピーカの断面図
【図６】本発明の別の実施の形態におけるスピーカの断面図
【図７】本発明の別の実施の形態におけるスピーカの断面図
【図８】本発明の別の実施の形態におけるスピーカの断面図
【図９】本発明の別の実施の形態におけるスピーカの断面図
【図１０】本発明の別の実施の形態におけるスピーカの断面図
【図１１】従来のスピーカの断面図
【図１２】従来のスピーカにおけるブロックダイアグラム図
【符号の説明】
２１　マグネット
２２　上部プレート
２３　下部プレート
２４　磁気回路
２５　磁気ギャップ
２６　フレーム
２７　ダイアフラム
２８　ボイスコイル
３１　ダンパー
７０　電子回路部
７１　電源機能
７２　受信機能
７３　復調機能
７４　増幅機能
７５　スピーカ
【図１】
2004128641.tif 000003
【図２】
2004128641.tif 000004
【図３】
2004128641.tif 000005
【図４】
2004128641.tif 000006
【図５】
2004128641.tif 000007
【図６】
2004128641.tif 000008
【図７】
2004128641.tif 000009
【図８】
2004128641.tif 000010
【図９】
2004128641.tif 000011
【図１０】
2004128641.tif 000012
【図１１】
2004128641.tif 000013
【図１２】
2004128641.tif 000014